(57)【要約】  各種情報を画面表示する表示装置１０に、表示装置内部の温度を検出する温度検出手段２８が備えられ、制御手段２６は温度検出手段で検出された温度が予め設定された第１の温度以上となると画面の輝度補正制御を行うとともに、映像生成手段２２及び映像処理手段２１を制御して、各種情報を加工して画面表示制御を行い、視認性を向上させる。【特許請求の範囲】
【請求項１】
表示装置において、
表示装置内部の温度を検出する温度検出手段と、
前記温度検出手段で検出された温度が予め設定された第１の温度以上となると画面の輝度補正制御を行う輝度補正制御手段と、
前記温度検出手段で検出された温度が前記第１の温度以上となると前記各種情報を加工して画面表示制御を行う情報補正制御手段とを有することを特徴とする表示装置。
【請求項２】
温度検出手段で検出された温度が第１の温度以上であると輝度補正制御及び画面表示制御を行う旨の表示を行う表示制御手段を備えたことを特徴とする請求項１記載の表示装置。
【請求項３】
温度検出手段で検出された温度が第１の温度以上である際、画面表示オフが設定されていると画面表示をオフする表示オフ制御手段を備えたことを特徴とする請求項１記載の表示装置。
【請求項４】
情報補正制御手段は前記各種情報を加工して画面表示した際の視認性を向上させるようにしたこと特徴とする請求項１記載の表示装置。
【請求項５】
温度検出手段で検出された温度が第１の温度よりも高い第２の温度以上であると、表示オフ制御手段は強制的に画面表示をオフする表示強制オフ処理を行うようにしたことを特徴とする請求項３記載の表示装置。
【請求項６】
表示強制オフ処理の際、表示制御手段は表示強制オフ処理を行う旨の表示を行うようにしたことを特徴とする請求項５記載の表示装置。
【請求項７】
温度検出手段で検出された温度が第１の温度よりも低い第３の温度以下である際、情報補正制御手段は各種情報を加工して画面表示制御を行うようにしたことを特徴とする請求項１記載の表示装置。
【請求項８】
画面表示制御の際、画面表示制御を行う旨の表示を行う表示制御手段を備えたことを特徴とする請求項７記載の表示装置。
【発明の詳細な説明】
【技術分野】
【０００１】
この発明は、液晶ディスプレイ（ＬＣＤ）等の表示手段（表示部）の表示制御を行う表示装置に関し、特に、車両等の移動体に搭載され、雰囲気温度に応じて表示手段の表示制御を行う表示装置に関するものである。
【背景技術】
【０００２】
一般に、ＬＣＤ等を用いた表示装置では、その内部に電源回路及びバックライト等が備えられており、これら電源及びバックライトが発熱源となり、また、表示装置の雰囲気温度（周囲温度）が高い等、表示装置が使用される環境条件によっては表示装置の内部が非常に高温となることがある。特に、車両に搭載された表示装置においては、表示装置の近傍に発熱源があり、さらには、車両は密閉状態にあることが多いため、表示装置は厳しい環境条件下で使用されることになる。そして、表示装置の内部が高温となると、表示装置中の各種素子に性能劣化又は損傷が生じて、正常な表示動作が行われなくなることがある。【０００３】
このような不具合を防止するため、表示装置内部の温度（雰囲気温度）が予め規定された温度以上となると、例えば、画面上に警告を表示した後、電源をオフして表示装置への電源供給を停止するようにしている。ところが、このように電源をオフすると、表示装置の動作が停止するため、ユーザは表示装置上で各種情報を一切見ることができず、例えば、車両走行中等においては極めて不便である。【０００４】
上述のように、電源をオフしてしまうと、表示装置が一切使用できなくなるため、雰囲気温度に応じて表示装置の画面輝度を制御するようにしたものがある。例えば、雰囲気温度が高くなると、バックライトの明るさを低下させて、画面輝度を低下させるようにしたものがある。そして、画面輝度を低下させると、発熱量が減少するから、表示装置内部の温度上昇を抑制することができることになる。【０００５】
しかしながら、画面輝度を低下させると、視認性が低下する関係上、ユーザは画面に表示された情報（内容）を確認するためには、画面を凝視する必要があり、特に車載用の表示装置においては、運転者が画面を凝視することは、安全を確保する上で好ましくない。【０００６】
一方、視認性を改善するため、雰囲気温度に応じてＬＣＤのコントラストを制御して画面の視認性の低下を防止するようにしたものがある（例えば、特許文献１参照）。さらには、ＣＲＴの内部温度が上昇した際、ＣＲＴのドライブ電圧を低下させるとともに、ドライブ電圧の低下分（つまり、輝度の低下）を補うように映像信号をγ補正処理又は色温度補正処理を行うようにしたものがある（例えば、特許文献２参照）。【０００７】
【特許文献１】実開平２−１１１１１８号公報（第４頁〜第６頁、第１図）
【特許文献２】特開平６−２２２５１号公報（第３頁、第１図）
【０００８】
従来の表示装置は以上のように構成されているので、つまり、表示装置内部の温度に応じて画面輝度を制御して、表示装置内部の発熱を抑制するするとともに、視認性の低下を抑制するようにしているものの、従来の表示制御装置では、雰囲気温度に応じて画面のコントラストを補正制御するか又は輝度低下を補償するように、映像信号の補正処理を行っているだけで、画面輝度が大きく低下した際には、ユーザは表示内容を十分に視認できないという課題があった。【０００９】
つまり、従来の表示装置では、輝度が大きく低下した際には、コントラスト補正又は映像信号の補正処理を行ってもユーザが画面に表示された内容を凝視することなく十分に視認することができないという課題があった。【００１０】
この発明は、上記のような課題を解決するためになされたもので、雰囲気温度に応じて画面輝度を制御するとともに画面輝度が大きく低下した際にも、必要とする情報を十分に視認することのできる表示装置を得ることを目的とする。
【発明の開示】
【００１１】
この発明に係る表示装置は、各種情報を画面表示する際、表示装置内部の温度を検出する温度検出手段と、温度検出手段で検出された温度が予め設定された第１の温度以上となると画面の輝度補正制御を行う輝度補正制御手段と、温度検出手段で検出された温度が第１の温度以上となると各種情報を加工して画面表示制御を行う情報補正制御手段とを有するものである。
【００１２】
この発明によれば、温度検出手段で検知された温度が第１の温度以上となると、画面の輝度を低下させて発熱量を低減させ、しかも各種情報を加工して画面表示するようにしたので、画面の輝度が低下しても、必要とする情報が加工されて表示される結果、視認性を良好に維持できるという効果がある。
【図面の簡単な説明】
【００１３】
【図１】この発明の実施の形態１による表示装置の一例を示すブロック図である。
【図２】この発明の実施の形態１による表示装置の他の例を示すブロック図である。
【図３】この発明の実施の形態１による表示装置の動作を説明するためのフローチャートである。
【図４】図３に示す通常表示ＯＦＦ制御を説明するためのフローチャートである。
【図５】図３に示す常温時制御を説明するためのフローチャートである。
【図６】図１に示すバックライトを駆動するバックライト駆動信号の一例を示す図である。
【図７】温度に応じたＤｕｔｙ比の設定を示すテーブルを表す図である。
【図８】温度毎のＤｕｔｙ比の変化を明るさ設定値とともに示す図である。
【図９】低温時の動作設定を行う際の操作手段上の表示を示す図である。
【図１０】図３に示す低温時制御を説明するためのフローチャートである。
【図１１】高温時の動作設定を行う際の操作手段上の表示を示す図である。
【図１２】図３に示す高温時制御を説明するためのフローチャートである。
【図１３】図３に示す表示強制ＯＦＦ制御を説明するためのフローチャートである。
【発明を実施するための最良の形態】
【００１４】
以下、この発明をより詳細に説明するために、この発明を実施するための最良の形態について、添付の図面に従って説明する。
実施の形態１．
図１はこの発明の実施の形態１における表示装置を示すものである。図１において、図示の表示装置１０、例えば、車両に搭載され、オーディオ装置、エアコンＥＣＵ、又はエンジンＥＣＵ等の外部情報機器１１に接続され、外部情報機器１１から得られる各種情報を表示する。表示装置１０は映像処理手段２１、映像生成手段２２、操作手段２３、通信手段２４、ＬＣＤ駆動手段２５、制御手段２６、バックライト駆動手段２７、温度検出手段２８、記憶手段２９、及び映像表示手段３０を備えており、映像表示手段３０はＬＣＤ３１及びバックライト３２を内蔵している。【００１５】
なお、図１に示す例では、外部情報機器１１に表示装置１０が接続されているが、表示装置１０が単独で用いられることもあり、この際には、例えば、表示装置１０にはテレビ（ＴＶ）チューナ及び／又はＤＶＤプレーヤ等が内蔵されることになり、通信手段２４は用いられない（つまり、通信手段２４は必須ではない）。そして、映像生成手段２２はＴＶ映像又はＤＶＤ再生映像の生成を行う。【００１６】
外部情報機器１１からは表示装置１０に外部機器情報（例えば、走行情報、車両動作情報、オーディオ動作情報、及びメンテナンス情報）が与えられる。表示装置１０では、通信手段２４を介して外部機器情報を受信して、この外部機器情報は制御手段２６に渡される。通信手段２４として有線式（例えば、ＲＳ−２３２Ｃ、ＵＳＢ、ＩＥＥＥ１３９４、ＣＡＮ、ＬＩＮ、又はＭＯＳＴ等）或いは無線式（ＩＲＤＡ、Ｂｌｕｅｔｏｏｔｈ（登録商標）、又はＤＳＲＣ等）が用いられる。【００１７】
ユーザは操作手段２３によって後述するユーザ設定を行うことができ、操作手段２３として、例えば、ハードキー、タッチスクリーン、リモコン、又は音声入力装置が用いられる。そして、制御手段２６はユーザ設定をユーザ設定情報として記憶手段２９に記憶する。この記憶手段２９には予め各種制御情報が格納されており、制御手段２６は、ユーザ設定情報及び各種制御情報と温度検出手段２８で検出された検出温度とに応じて、後述するようにして映像処理手段２１、ＬＣＤ駆動手段２５、及びバックライト駆動手段２７を制御する。【００１８】
外部機器情報は制御手段２６から映像生成手段２２に渡されて、映像生成手段２２は外部機器情報に応じた映像信号を生成して、この情報画像を映像処理手段２１に送る。映像処理手段２１は制御手段２６の制御下において、映像信号を表示するための表示処理を行い、この際、後述するようにして、例えば、輪郭補正、コントラスト補正、階調補正、及び／又は色調補正を行う。そして、表示処理された映像信号に応じてＬＣＤ駆動手段２５がＬＣＤ３１を駆動してＬＣＤ３１に外部機器情報を示す画像を表示する。一方、制御手段２６の制御下で、バックライト駆動手段２７はバックライト３２を駆動してバックライトの点灯／消灯及び照度調整が行われる。【００１９】
なお、操作手段２３によってユーザが外部情報機器１１への設定を行った際には、制御手段２６は通信手段２４を介してそのユーザ設定を外部情報機器１１に送ることになる。【００２０】
図２は図１に示す表示装置１０を外部映像生成機器（例えば、ナビゲーションユニット）４０とともに用いた例を示す図であり、図２において、図１と同一の構成要素については同一の参照番号を付す。外部映像生成機器４０は、制御手段４１、映像生成手段４２、記憶手段４３、及び通信手段４４を備えている。さらに、図示の例では、外部情報機器４５〜４７として、オーディオ装置、エアコンＥＣＵ、及びエンジンＥＣＵが表示装置１０に接続されている。なお、破線ブロックで示すように、表示装置１０には、周囲の照度を検出する照度検出手段４８を備えるようにしてもよい。【００２１】
図１に関連して説明したようにして、外部情報機器４５〜４７から表示装置１０に通信手段２４を介して外部機器情報が与えられて、この外部機器情報がＬＣＤ３１に表示される。一方、外部映像生成機器４０では、制御手段４１の制御下で記憶手段４３に記憶された制御データ（例えば地図データ）に応じて、映像生成手段４２が例えばナビゲーション映像信号を生成して、映像処理手段２１に送り、前述したようにして、ＬＣＤ３１にナビゲーション映像信号に応じた画面が表示されることになる。【００２２】
なお、操作手段２３によってユーザが外部映像生成機器１１への設定を行った際には、制御手段２６は通信手段２４を介してそのユーザ設定を外部映像生成機器１１に送ることになる。また、外部映像生成機器４０にはＴＶチューナ又はＤＶＤプレーヤが含まれることもある。さらに、図２に破線ブロックで示すように、表示装置１０は映像生成手段２２を備える必要はなく、この際には、外部情報機器４５〜４７からの外部機器情報は通信手段４４を介して制御手段４１に与えられ、映像生成手段４２が制御手段４１の制御下で外部機器情報に応じた映像信号を生成する。【００２３】
次に動作について説明する。
図１及び図３を参照して、まず、制御手段２６は初期化処理を行う（ステップＳＴ１）。この初期化処理では、例えば、制御に使用する変数及びフラグの初期化を行う。続いて、制御手段２６では操作手段２３によるユーザ設定を検出して、そのユーザ設定の意味づけを行って（操作判定処理：ステップＳＴ２）、ユーザ設定情報として記憶手段２９に記憶する。さらに、制御手段２６は操作手段２３の操作に応じて動作モードを決定する（ステップＳＴ３：例えば、画面のオン／オフ等を行う）。【００２４】
次に、制御手段２６は温度検出手段２８から検出温度を雰囲気温度として取得する（ステップＳＴ４）。例えば、記憶手段２９には温度検出手段２８から出力される検知信号（電圧信号）と温度との関係を示す検知信号−温度特性テーブルが設定されており、制御手段２６はこの温度特性テーブルに基づいて雰囲気温度を得ることになる。そして、図１には示されていないが、車内に設けられた照度検出手段から表示装置１０の周囲の照度を照度情報として得る（ステップＳＴ５）。例えば、記憶手段２９には照度検出手段から出力される検知信号（電圧信号）と照度との関係を示す検知信号−照度特性テーブルが設定されており、制御手段２６はこの照度特性テーブルに基づいて表示装置の周囲照度を得ることになる。【００２５】
上述のようにして雰囲気温度を得ると、制御手段２６はパワーオン（ＯＮ）であるか否かを判定する（ステップＳＴ６）。そして、パワーオフであれば、制御手段２６は、通常表示ＯＦＦ設定（通常表示ＯＦＦ制御）を行う（ステップＳＴ７）。図４は通常表示ＯＦＦ制御を説明するためのフローチャートであり、制御手段２６は、ＬＣＤ駆動手段２５を制御してＯＦＦとし（ステップＳＴ８）、さらにバックライト駆動手段２７をＯＦＦとする（ステップＳＴ９）。続いて、制御手段２６は映像生成手段２２を制御してＯＦＦとするとともに（ステップＳＴ１０）、映像処理手段２１をＯＦＦする（ステップＳＴ１１）。そして、制御手段２６は外部情報機器１１に対して通常表示ＯＦＦ制御を行った旨通知する（外部接続機器通信制御：ステップＳＴ１２）。【００２６】
一方、ステップＳＴ６において、パワーＯＮであると、制御手段２６は雰囲気温度が予め設定された温度（動作不能温度（第２の温度））Ｔａ℃以上であるか否かを判定する（ステップＳＴ１３）。ステップＳＴ１３において、雰囲気温度＜Ｔａであると、制御手段２６は雰囲気温度が温度Ｔｂ℃（第１の温度（Ｔｂ＜Ｔａである））以上であるか否かを判定する（ステップＳＴ１４）。ステップＳＴ１４において、雰囲気温度＜Ｔｂであると、制御手段２６は雰囲気温度が温度Ｔｃ℃（第３の温度（Ｔｃ＜Ｔｂである））以下であるか否かを判定する（ステップＳＴ１５）。雰囲気温度＞Ｔｃであると、つまり、Ｔｃ＜雰囲気温度＜Ｔｂ（常温範囲）であると、制御手段２６は常温時処理を実行する（ステップＳＴ１６）。【００２７】
図５は常温時制御を説明するためのフローチャートであり、制御手段２６は、ＬＣＤ駆動手段２５を制御してＯＮとした後（ステップＳＴ１７）、明るさ設定演算処理を実行する（ステップＳＴ１８）。この明るさ設定演算処理においては、発熱を抑制するため雰囲気温度に応じてデューティー（Ｄｕｔｙ）比を補正する。【００２８】
ところで、バックライト駆動手段２７からのバックライト駆動信号（駆動波形）によってバックライト３２が駆動されることになるが、バックライト駆動信号は図６に示すパルス信号であり、バックライト駆動信号がＯＮの際バックライト３２は点灯し、バックライト駆動信号をＯＦＦの際バックライト３２は消灯する。画面の明るさ（つまり、輝度）は、バックライト駆動信号のＤｕｔｙ比（ＯＮ時間÷（ＯＮ時間＋ＯＦＦ時間）×１００％）によって決定され、バックライト駆動信号の一周期に占めるＯＮ時間の割合が長くなるほど画面が明るくなる。そして、バックライト３２が明るいほど表示装置１０の内部発熱量が大きくなる。【００２９】
記憶手段２９には、Ｄｕｔｙ比の補正量を示す補正データが標準データとともにＤｕｔｙテーブルとして格納されており、例えば、図７に示すように、Ｄｕｔｙ比の設定（明るさ設定）１〜３５までについて、標準データ及び温度４０℃、５０℃、６０℃、８０℃、９０℃、及び１００℃の補正データが格納されている。図示の例では、設定３５について標準データのＤｕｔｙ比を１００％とした際、温度４０℃の補正データが１０％ダウン（Ｄｏｗｎ）の９０％となり、温度５０℃の補正データが２０％ダウンの８０％となる。【００３０】
同様にして、温度６０℃の補正データが３０％ダウンの７０％となり、温度８０℃の補正データが４０％ダウンの８０％、温度９０℃の補正データが５０％ダウンの５０％、温度１００℃の補正データが６０％ダウンの４０％となる。設定３５以外の設定では、設定３５よりも標準データに対する減少率が少なくなっており、設定１では標準データ及び補正データの全てともにＤｕｔｙ比は５％とされる。【００３１】
つまり、図８に示すように、標準データ及び補正データは設定１から設定３５に向かってＤｕｔｙ比が曲線的に増加するものの、温度１００℃の補正データにおいてはその増加率が最も少ない。Ｄｕｔｙ比が小さい領域では、雰囲気温度が変化しても発熱抑制効果が小さく、人間の視覚特性によって多少の明るさ変化で大きな変化に見えるため、雰囲気温度に応じたＤｕｔｙ比の変化を小さくしている。なお、図８において、Ｌ１は６０％ダウン、Ｌ２は５０％ダウン、Ｌ３は４０％ダウン、Ｌ４は３０％ダウン、Ｌ５は２０％ダウン、Ｌ６は１０％ダウン、Ｌ７は補正無し特性にそれぞれ対応している。【００３２】
上述の明るさ設定は、ユーザによってユーザ設定情報として設定され、明るさ設定演算処理においては、制御手段２６は雰囲気温度及び明るさ設定に応じたＤｕｔｙ比を決定することになる。そして、制御手段２６は決定したＤｕｔｙ比を有する駆動制御信号をバックライト駆動手段２７に送り、バックライト駆動手段２７は駆動制御信号に応じたバックライト駆動信号でバックライト３２を駆動することになる。【００３３】
なお、図７及び図８では、標準データ及び温度４０℃、５０℃、６０℃、８０℃、９０℃、及び１００℃の補正データのみ示したが、実際には温度区分をもっと細かくして多数の補正データが記憶手段２９に設定されている。さらに、標準データ及び補正データの代わりに温度及びユーザ設定毎のＤｕｔｙ比を求める演算式を記憶手段２９に予め格納しておき、制御手段２６はこの演算式に基づいてＤｕｔｙ比を決定するようにしてもよい。この演算式は、例えば、次の式で示される。
Ｄ（ｎ）＝ＥＸＰ（ＬＮ（Ｄ（Ｍｉｎ））＋(ＬＮ（Ｄ（Ｍａｘ））
−ＬＮ（Ｄ（Ｍｉｎ））＋（Ｓｔｅｐ数−１）
×（ｎ−１）)
ここで、Ｄ（ｎ）はＳｔｅｐ数（明るさ設定数）ｎのＤｕｔｙ比、Ｄ（Ｍｉｎ）はＤｕｔｙ比の最小値（各温度で５％固定）、Ｄ（Ｍａｘ）はＤｕｔｙ比の最大値（各温度で可変（１００％〜４０％）であり、式により温度から算出してもよい。例えば、Ｄ（Ｍａｘ）−（１００−Ｋ×（Ｔ−Ｔ０））であり、Ｋは係数、Ｔは温度、Ｔ０は補正なし時の温度である。温度＝８０℃、補正なし時の温度＝３０℃、Ｋ＝１．０とすれば、Ｄ（Ｍａｘ）＝５０％となる。ｎは１，２，３，・・・３５であり、ＥＸＰ（ｘ）は底ｅに対する指数値、ＬＮ（ｘ）はｘの自然対数、Ｓｔｅｐ数は輝度テーブルの明るさ設定数である（図示の例では、３５である）。【００３４】
明るさ設定値演算制御によってＤｕｔｙ比を決定した後、制御手段２６は前述したようにして、バックライト駆動手段２７を制御する（ステップＳＴ１９）。その後、制御手段２６は映像生成手段２２を制御して通常表示とするとともに（ステップＳＴ２０）、映像処理手段２１をＯＮ（補正無し）とする（ステップＳＴ２１）。そして、制御手段２６は、ステップＳＴ１２において外部情報機器１１に対して常温時制御を行った旨通知する。【００３５】
ステップＳＴ１５において、雰囲気温度≦Ｔｃであると、制御手段２６は低温であると判定し、低温時動作（低温時制御）を行うか否かを決定する（ステップＳＴ２２）。低温時制御を行うか否かはユーザが操作手段２３によって設定する。図９は低温時制御設定（低温時の動作設定）の操作画面を示す図であり、低温時制御設定には、「テロップ表示」、「表示時間」、「動作設定」、及び「温度設定」がある。「テロップ表示」には、「許可」及び「禁止」があり、「許可」が設定されていると、低温時制御を行うことを示すテロップがＬＣＤ３１上に表示される。【００３６】
そして、「表示時間」で設定された時間にテロップが表示されることになる。「動作設定」には「通常と同じ」及び「表示モードを切り替え」の二つがあり、「表示モードを切り替え」が設定されると、後述するように、ＬＣＤ３１の視認性が良好な映像に切り替え、「通常と同じ」が設定されると、通常状態の映像表示となる。また、「温度設定」には、検出温度（検出）及び解除温度（解除）が設定される。【００３７】
ステップＳＴ２２において、低温時動作を行うことが設定されていると（補正許可）、制御手段２６は低温時制御を実行する（ステップＳＴ２３）。一方、低温時動作を行うことが設定されていないと（補正禁止）、制御手段２６はステップＳＴ１６に移行して前述した常温時制御を行う。【００３８】
図１０は低温時制御を説明するためのフローチャートであり、まず、制御手段２６は低温時テロップ表示設定があるか否かを判定し（ステップＳＴ２４）、テロップ表示設定があると、低温時テロップ表示が既に完了しているか否かを判定する（ステップＳＴ２５）。未完了であると、制御手段２６は低温時テロップ表示を行う（ステップＳＴ２６）。続いて、制御手段２６は表示時間が経過したか否かを判定して（ステップＳＴ２７）、表示時間が経過していれば、低温時テロップ表示完了フラグをセットした後（ステップＳＴ２８）、ＬＣＤ駆動手段２５を制御してＯＮし（ステップＳＴ２９）、バックライト駆動手段２７を制御してＯＮする（ステップＳＴ３０）。【００３９】
その後、制御手段２６は映像生成手段２２を制御してテロップ表示し（ステップＳＴ３１）、映像処理手段２１を制御して低温における映像補正（後述する）を行う（ステップＳＴ３２）。そして、制御手段２６は、ステップＳＴ１２において外部情報機器１１に対して低温時制御を行った旨通知する。なお、ステップＳＴ２７において、表示時間が未経過であると、制御手段２６はステップＳＴ２９に移行する。【００４０】
一方、ステップＳＴ２４において、低温時テロップ表示設定がないか又はステップＳＴ２５において、低温時テロップ表示が完了していると判定すると、制御手段２６は低温時動作設定がされているか否かを判定する（ステップＳＴ３３）。「表示補正（表示モードを切り替え）」が設定されていると、制御手段２６はＬＣＤ駆動手段２５を制御してＯＮし（ステップＳＴ３４）、バックライト駆動手段２７を制御してＯＮする（ステップＳＴ３５）。その後、制御手段２６は映像生成手段２２を制御して低温における特殊表示を行い（ステップＳＴ３６）、映像処理手段２１を制御して低温における映像補正を行う（ステップＳＴ３７）。そして、制御手段２６は、ステップＳＴ１２において外部情報機器１１に対して低温時制御を行った旨通知する。【００４１】
ステップＳＴ３３において、「補正無し（通常と同じ）」が設定されていると、制御手段２６はＬＣＤ駆動手段２５を制御してＯＮし（ステップＳＴ３８）、バックライト駆動手段２７を制御してＯＮする（ステップＳＴ３９）。その後、制御手段２６は映像生成手段２２を制御して通常表示を行い（ステップＳＴ４０）、映像処理手段２１を制御してＯＮする（ステップＳＴ４１）。そして、制御手段２６は、ステップＳＴ１２において外部情報機器１１に対して低温時制御を行った旨通知する。【００４２】
ステップＳＴ１４において、雰囲気温度≧Ｔｂであると、つまり、Ｔｂ≦雰囲気温度＜Ｔａであると、制御手段２６は高温検出範囲であるとして高温時制御を行う（ステップＳＴ４２）。高温時制御はユーザが操作手段２３によって設定する。図１１は高温時制御設定（高温時の動作設定）の操作画面を示す図であり、高温時制御設定には、「テロップ表示」、「テロップ表示時間」、「動作設定」、及び「温度設定」がある。「テロップ表示」には、「許可」及び「禁止」があり、「許可」が設定されていると、高温時制御を行うことを示すテロップがＬＣＤ３１上に表示される。【００４３】
そして、「テロップ表示時間」で設定された時間にテロップが表示されることになる。「動作設定」には「画面をＯＦＦする」及び「表示モードを切り替え」の二つがあり、「表示モードを切り替え」が設定されると、後述するように、ＬＣＤ３１の視認性が良好な映像に切り替え、「画面をＯＦＦする」が設定されると、後述するようにして画面をＯＦＦする。また、「温度設定」には、検出温度（検出）及び解除温度（解除）が設定される。【００４４】
図１２は高温時制御を説明するためのフローチャートであり、まず、制御手段２６は高温時テロップ表示設定があるか否かを判定し（ステップＳＴ４３）、テロップ表示設定があると、高温時テロップ表示が既に完了しているか否かを判定する（ステップＳＴ４４）。未完了であると、制御手段２６は高温時テロップ表示を行う（ステップＳＴ４５）。続いて、制御手段２６は表示時間が経過したか否かを判定して（ステップＳＴ４６）、表示時間が経過していれば、低温時テロップ表示完了フラグをセットした後（ステップＳＴ４７）、ＬＣＤ駆動手段２５を制御してＯＮし（ステップＳＴ４８）、明るさ設定値演算制御を行い（ステップＳＴ４９）、バックライト駆動手段２７を制御してＯＮする（ステップＳＴ５０）。【００４５】
その後、制御手段２６は映像生成手段２２を制御してテロップ表示し（ステップＳＴ５１）、映像処理手段２１を制御して高温における映像補正を行う（ステップＳＴ５２）。そして、制御手段２６は、ステップＳＴ１２において外部情報機器１１に対して高温時制御を行った旨通知する。なお、ステップＳＴ４６において、表示時間が未経過であると、制御手段２６はステップＳＴ４８に移行する。【００４６】
一方、ステップＳＴ４３において、高温時テロップ表示設定がないか又はステップＳＴ４４において、高温時テロップ表示が完了していると判定すると、制御手段２６は高温時動作設定がされているか否かを判定する（ステップＳＴ５３）。「表示補正（表示モードを切り替え）」が設定されていると、制御手段２６はＬＣＤ駆動手段２５を制御してＯＮし（ステップＳＴ５４）、明るさ設定値演算制御を行って（ステップＳＴ５５）、バックライト駆動手段２７を制御してＯＮする（ステップＳＴ５６）。その後、制御手段２６は映像生成手段２２を制御して高温における特殊表示を行い（ステップＳＴ５７）、映像処理手段２１を制御して高温における映像補正を行う（ステップＳＴ５８）。そして、制御手段２６は、ステップＳＴ１２において外部情報機器１１に対して低温時制御を行った旨通知する。【００４７】
ステップＳＴ５３において、「画面をＯＦＦする（表示ＯＦＦ）」が設定されていると、制御手段２６はＬＣＤ駆動手段２５を制御してＯＦＦし（ステップＳＴ５９）、バックライト駆動手段２７を制御してＯＦＦする（ステップＳＴ６０）。その後、制御手段２６は映像生成手段２２を制御してＯＦＦを行い（ステップＳＴ６１）、映像処理手段２１を制御してＯＮする（ステップＳＴ６２）。そして、制御手段２６は、ステップＳＴ１２において外部情報機器１１に対して高温時制御を行った旨通知する。【００４８】
図３に示すステップＳＴ１３において、雰囲気温度≧Ｔａであると、制御手段２６は表示強制ＯＦＦ制御を行う（ステップＳＴ６３）。図１３は表示強制ＯＦＦ制御を説明するためのフローチャートであり、制御手段２６は、まず、制御手段２６は表示強制ＯＦＦテロップ表示が既に完了しているか否かを判定する（ステップＳＴ６４）。未完了であると、制御手段２６は表示強制ＯＦＦテロップ表示を行う（ステップＳＴ６５）。続いて、制御手段２６は表示時間が経過したか否かを判定して（ステップＳＴ６６）、表示時間が経過していれば、表示強制ＯＦＦテロップ表示完了フラグをセットした後（ステップＳＴ６７）、ＬＣＤ駆動手段２５を制御してＯＮし（ステップＳＴ６８）、明るさ設定値演算制御を行い（ステップＳＴ６９）、バックライト駆動手段２７を制御してＯＮする（ステップＳＴ７０）。【００４９】
その後、制御手段２６は映像生成手段２２を制御してテロップ表示し（ステップＳＴ７１）、映像処理手段２１を制御して高温における映像補正を行う（ステップＳＴ７２）。そして、制御手段２６は、ステップＳＴ１２において外部情報機器１１に対して表示強制ＯＦＦ制御を行った旨通知する。なお、ステップＳＴ６６において、表示時間が未経過であると、制御手段２６はステップＳＴ６８に移行する。【００５０】
一方、ステップＳＴ６４において、強制ＯＦＦテロップ表示が完了していると判定すると、制御手段２６はＬＣＤ駆動手段２５を制御してＯＦＦし（ステップＳＴ７３）、バックライト駆動手段２７を制御してＯＦＦする（ステップＳＴ７４）。さらに、制御手段２６は映像生成手段２２を制御してＯＦＦし（ステップＳＴ７５）、映像処理手段２１を制御してＯＦＦする（ステップＳＴ７６）。そして、制御手段２６は、ステップＳＴ１２において外部情報機器１１に対して表示強制ＯＦＦ制御を行った旨通知する。【００５１】
ここで、高温時における画面表示について説明すると、高温時においては、前述したように、バックライトの明るさが制御されて、画面が暗くなり（輝度が落ち）、これによって発熱を抑制するようにしている。ところが、輝度が落ちると画面上の情報（文字及び記号等）の視認性が低下する。そこで、ここでは視認性を向上させるため、特殊表示及び映像補正を行う。ここでは、ＬＣＤ３１に表示する情報量を限定して見易いレイアウト表示に切り替える。【００５２】
例えば、地図を表示している際には、地図上の細街路を消し、オーディオ又はエアコン等の制御情報画面においては、最小限の必要情報に限定する。さらに、文字図形の大きさを変更して見易い画面レイアウトとする。例えば、フォントサイズの変更、地図の線の太さの変更、及びアイコン及びマークの大きさの変更を行う。加えて、画面配色を変更して見易い画面レイアウトとする。例えば、同系色を避けて縁取りを付加するようにする。【００５３】
具体的には、地図画面であれば、地図の細街路表示を消して主要な道路のみとする。道路の太さを変更する。縮尺を変更する。表示する施設数を変更する。表示する地名数を変更する。アイコンを大きくする。文字のフォントを大きくする。文字を太くする。文字の色を変更する。地図の背景色を変更する。縁取りを付加する。略図表示に切り替える等の画面補正を行って輝度が低下した際の視認性を向上させる。【００５４】
また、走行情報、車両動作情報、オーディオ画面、又はメンテナンス情報等の各種情報画面においては、予め設定した必要最小限の情報のみを表示する。アイコンを大きくする。文字のフォントを大きくする。文字を太くする。文字の色を変える。画面の背景色を変える。及び縁取りを付加する等の画面補正を行って輝度が低下した際の視認性を向上させる。【００５５】
ＴＶ画面、ＤＶＤ画面、及びカメラ映像においては、それぞれ輪郭強調、コントラスト強調、及び階調補正及び色調補正等の画面補正を行って輝度が低下した際の視認性を向上させる。なお、このような情報の加工は、前述したように低温時制御の際にも行われることになる。【００５６】
上述の説明から明らかなように、ここでは、制御手段２６及びバックライト駆動手段２７が輝度補正制御手段として機能し、制御手段２６、映像生成手段２２、映像処理手段２１、及びＬＣＤ駆動手段２５が情報補正制御手段及びテロップ表示制御手段として機能することになる。【００５７】
以上のように、この実施の形態１によれば、表示装置１０内部の温度が高温となるとバックライト３２を制御してＬＣＤ３１の輝度を低減して発熱量を抑えるとともに、ＬＣＤ３１に表示する情報を加工して表示するようにしたので、視認性が悪化することがなく、特に、運転中の視認性悪化に起因する危険を防止することができる。【００５８】
この実施の形態１によれば、表示装置１０内部の温度が高温又は低温となると、テロップを画面表示した後、画面表示する情報の加工及び／又は輝度補正を行うようにしたので、ユーザは事前に画面表示が変更されることを知ることができ、突然画面表示が変わって故障したのではないかという誤認を防止することができる。【００５９】
この実施の形態１によれば、表示装置１０内部の温度が高温となった際に、画面表示オフが設定されていると画面表示をオフするようにしたので、高温によって表示装置１０内部の素子が損傷することを抑制できる。【００６０】
この実施の形態１によれば、表示装置１０内部の温度が動作上の制限温度をオーバーすると、強制的に画面表示をオフするようにしたので、表示装置１０が故障するという事態を回避することができる。そして、表示強制オフ処理の際、表示強制オフ処理を行う旨のテロップを画面表示するようにしたので、ユーザは電源がオフされることを事前に知ることができる。
【産業上の利用可能性】
【００６１】
この発明は、運転中の視認性悪化を防止する必要のある、車両等に搭載される表示装置に幅広く適用することができる。
【図１】
2007034593.tif 000002
【図２】
2007034593.tif 000003
【図３】
2007034593.tif 000004
【図４】
2007034593.tif 000005
【図５】
2007034593.tif 000006
【図６】
2007034593.tif 000007
【図７】
2007034593.tif 000008
【図８】
2007034593.tif 000009
【図９】
2007034593.tif 000010
【図１０】
2007034593.tif 000011
【図１１】
2007034593.tif 000012
【図１２】
2007034593.tif 000013
【図１３】
2007034593.tif 000014
【国際調査報告】
2007034593.tif 000015
2007034593.tif 000016
2007034593.tif 000017
2007034593.tif 000018